(57)【要約】【課題】通信が切断されていた間に撮影された画像を容易に確認可能とする。【解決手段】制御部１８は、撮像部１０によって撮影された撮像画像と計時部１７によって計時された撮影時の計時情報とを対応付けて画像ファイル管理メモリ１５２に記憶する。また、制御部１８は、無線通信部１３によって外部の通信機器との接続が切断されたときの、計時部１７によって計時された計時情報を前回接続ログメモリ１５１に記憶する。そして、外部の通信機器との間で新たに通信が再開された場合に、撮像画像に対応付けて記憶されている撮影時の計時情報と前回の接続が切断されたときの計時情報とを比較し、前回の通信切断以降に撮影された撮像画像を、外部の通信機器に送信すべき画像に決定する。【選択図】図１
2016165048.tif 000002
【特許請求の範囲】
【請求項１】
画像を撮影する撮像手段と、
計時手段と、
外部の通信機器との間で通信する通信手段と、
前記撮像手段によって撮影された撮像画像と前記計時手段によって計時された撮影時の計時情報とを対応付けて記憶する撮像画像記憶手段と、
前記通信手段によって前記外部の通信機器との接続が切断されたときの、前記計時手段によって計時された計時情報を記憶する接続ログ記憶手段と、
前記通信手段によって前記外部の通信機器との間で新たに通信が再開された場合に、前記撮像画像記憶手段に記憶されている撮像画像に対応付けて記憶されている撮影時の計時情報と前記接続ログ記憶手段に記憶されている前回の接続が切断されたときの計時情報とを比較し、前記外部の通信機器に送信すべき撮像画像を決定する決定手段と、
を備えたことを特徴とする撮像装置。
【請求項２】
前記撮像画像記憶手段によって記憶されている撮像画像の撮像時の状況に関する情報を取得する情報取得手段と、
この情報取得手段によって取得された情報に基づいて、前記決定手段によって前記外部の通信機器に送信すべきと決定された撮像画像を加工する加工手段と、
を更に備え、
前記通信手段は、前記加工手段によって加工された撮像画像を前記外部の通信機器に送信する、
ことを特徴とする請求項１に記載の撮像装置。
【請求項３】
前記通信手段は、前記決定手段によって前記外部の通信機器に送信すべきと決定された撮像画像と前記撮像手段によって逐次撮像されている画像とを前記外部の通信機器に送信する、ことを特徴とする請求項１又は２に記載の撮像装置。
【請求項４】
前記通信手段は、無線通信手段を含む、
ことを特徴とする請求項１乃至３のいずれか一項に記載の撮像装置。
【請求項５】
前記通信手段を介した接続要求を検出する検出手段を更に備え、
前記決定手段は、前記検出手段によって接続要求を検出すると、前記撮像画像記憶手段に記憶されている撮像画像に対応付けて記憶されている撮影時の計時情報と前記接続ログ記憶手段に記憶されている前回の接続が切断されたときの計時情報とを比較し、前記外部の通信機器に送信すべき撮像画像を決定する、
ことを特徴とする請求項１乃至４のいずれか一項に記載の撮像装置。
【請求項６】
表示手段と、
計時手段と、
外部の撮像装置との間で通信する通信手段と、
前記通信手段によって前記外部の撮像装置との接続が切断されたときの、前記計時手段によって計時された計時情報を記憶する接続ログ記憶手段と、
前記通信手段によって前記外部の撮像装置との間で新たに通信が再開された場合に、前記外部の撮像装置によって撮像された撮像画像の識別情報と当該撮像画像の撮影時の計時情報とが対応付けられた管理情報を前記通信手段によって受信し、当該受信された前記管理情報から取得される、前記撮像画像に対応付けられている撮影時の計時情報と前記接続ログ記憶手段に記憶されている前回の接続が切断されたときの計時情報とを比較し、前記表示手段に出力すべき撮像画像を決定する決定手段と、
を備えたことを特徴とする画像出力装置。
【請求項７】
前記決定手段によって前記表示手段に出力すべきと決定された撮像画像を加工する加工手段を更に備え、
前記表示手段は、前記加工手段によって加工された撮像画像を表示する、
ことを特徴とする請求項６に記載の撮像装置。
【請求項８】
撮像部によって撮影された撮像画像と計時部で計時された撮影時の計時情報とを対応付けて記憶部に記憶する撮像画像記憶ステップと、
外部の通信機器との接続が切断されたときの、前記計時部で計時された計時情報を前記記憶部に記憶する接続ログ記憶ステップと、
前記外部の通信機器との間で新たに通信が再開された場合に、前記撮像画像に対応付けて記憶されている撮影時の計時情報と前記外部の通信機器との前回の接続が切断されたときの計時情報とを比較し、前記外部の通信機器に送信すべき撮像画像を決定する決定ステップと、
を含むことを特徴とする転送画像決定方法。
【請求項９】
外部の撮像装置との接続が切断されたときの、計時部で計時された計時情報を記憶部に記憶する接続ログ記憶ステップと、
前記外部の撮像装置との間で新たに通信が再開された場合に、前記外部の撮像装置によって撮像された撮像画像の識別情報と当該撮像画像の撮影時の計時情報とが対応付けられた管理情報を受信する受信ステップと、
前記受信ステップで受信された前記管理情報から取得される、前記撮像画像に対応付けられている撮影時の計時情報と前記記憶部に記憶された前記外部の撮像装置との接続が切断されたときの計時情報とを比較し、表示部に出力すべき撮像画像を決定する決定ステップと、
を含むことを特徴とする出力画像決定方法。
【請求項１０】
コンピュータを、
撮像部によって画像を撮影する撮像機能、
計時機能、
外部の通信機器との間で通信する通信機能、
前記撮像機能によって撮影された撮像画像と前記計時機能で計時された撮影時の計時情報とを対応付けて記憶部に記憶する撮像画像記憶機能、
前記外部の通信機器との接続が切断されたときの、前記計時機能で計時された計時情報を前記記憶部に記憶する接続ログ記憶機能、
前記外部の通信機器との間で新たに通信が再開された場合に、前記撮像画像に対応付けて記憶されている撮影時の計時情報と前記外部の通信機器との前回の接続が切断されたときの計時情報とを比較し、前記外部の通信機器に送信すべき撮像画像を決定する決定機能、
として機能させることを特徴とするプログラム。
【請求項１１】
コンピュータを、
計時機能、
外部の撮像装置との間で通信する通信機能、
前記外部の撮像装置の接続が切断されたときの、前記計時機能で計時された計時情報を記憶部に記憶する接続ログ記憶機能、
前記通信機能によって前記外部の撮像装置との間で新たに通信が再開された場合に、前記外部の撮像装置によって撮像された撮像画像の識別情報と当該撮像画像の撮影時の計時情報とが対応付けられた管理情報を受信する受信機能、
前記受信機能によって受信された前記管理情報から取得される、前記撮像画像に対応付けられている撮影時の計時情報と前記接続ログ記憶手段に記憶されている前回の接続が切断されたときの計時情報とを比較し、表示部に出力すべき撮像画像を決定する決定機能、
として機能させることを特徴とするプログラム。
【発明の詳細な説明】
【技術分野】
【０００１】
本発明は、撮像装置、画像出力装置、転送画像決定方法、出力画像決定方法、及びプログラムに関する。
【背景技術】
【０００２】
従来より、デジタルカメラと表示部を備えるリモコンとを無線接続し、デジタルカメラで撮影された画像や、ライブビュー画像などを、リモコン側の表示部で閲覧する技術が提案されている（例えば特許文献１参照）。
【先行技術文献】
【特許文献】
【０００３】
【特許文献１】特開２００８−０７９２３３号公報
【発明の概要】
【発明が解決しようとする課題】
【０００４】
上記従来技術では、デジタルカメラとリモコンとが接続されれば、デジタルカメラ側で記録されている画像をリモコン側の表示部で閲覧できるようになっている。しかしながら、記録されている画像を形式的に転送するため、これ以前に転送され、リモコン側で閲覧済みの画像であっても区別無く表示されるため、ユーザは、それら転送された画像において、今回初めて転送された画像がどれなのか判別できないという問題があった。
【０００５】
そこで本発明は、ユーザにとって、新たに撮影された画像を確認しやすくすることを目的とする。
【課題を解決するための手段】
【０００６】
この発明に係る撮像装置は、画像を撮影する撮像手段と、計時手段と、外部の通信機器との間で通信する通信手段と、前記撮像手段によって撮影された撮像画像と前記計時手段によって計時された撮影時の計時情報とを対応付けて記憶する撮像画像記憶手段と、前記通信手段によって前記外部の通信機器との接続が切断されたときの、前記計時手段によって計時された計時情報を記憶する接続ログ記憶手段と、前記通信手段によって前記外部の通信機器との間で新たに通信が再開された場合に、前記撮像画像記憶手段に記憶されている撮像画像に対応付けて記憶されている撮影時の計時情報と前記接続ログ記憶手段に記憶されている前回の接続が切断されたときの計時情報とを比較し、前記外部の通信機器に送信すべき撮像画像を決定する決定手段と、を備えたことを特徴とする。
【０００７】
この発明に係る画像出力装置は、表示手段と、計時手段と、外部の撮像装置との間で通信する通信手段と、前記通信手段によって前記外部の撮像装置との接続が切断されたときの、前記計時手段によって計時された計時情報を記憶する接続ログ記憶手段と、前記通信手段によって前記外部の撮像装置との間で新たに通信が再開された場合に、前記外部の撮像装置によって撮像された撮像画像の識別情報と当該撮像画像の撮影時の計時情報とが対応付けられた管理情報を前記通信手段によって受信し、当該受信された前記管理情報から取得される、前記撮像画像に対応付けられている撮影時の計時情報と前記接続ログ記憶手段に記憶されている前回の接続が切断されたときの計時情報とを比較し、前記表示手段に出力すべき撮像画像を決定する決定手段と、を備えたことを特徴とする。
【０００８】
この発明に係る転送画像決定方法は、撮像部によって撮影された撮像画像と計時部で計時された撮影時の計時情報とを対応付けて記憶部に記憶する撮像画像記憶ステップと、外部の通信機器との接続が切断されたときの、前記計時部で計時された計時情報を前記記憶部に記憶する接続ログ記憶ステップと、前記外部の通信機器との間で新たに通信が再開された場合に、前記撮像画像に対応付けて記憶されている撮影時の計時情報と前記外部の通信機器との前回の接続が切断されたときの計時情報とを比較し、前記外部の通信機器に送信すべき撮像画像を決定する決定ステップと、を含むことを特徴とする。
【０００９】
この発明に係る出力画像決定方法は、外部の撮像装置との接続が切断されたときの、計時部で計時された計時情報を記憶部に記憶する接続ログ記憶ステップと、前記外部の撮像装置との間で新たに通信が再開された場合に、前記外部の撮像装置によって撮像された撮像画像の識別情報と当該撮像画像の撮影時の計時情報とが対応付けられた管理情報を前記通信手段によって受信する受信ステップと、前記受信ステップで受信された前記管理情報から取得される、前記撮像画像に対応付けられている撮影時の計時情報と前記記憶部に記憶された前記外部の撮像装置との接続が切断されたときの計時情報とを比較し、表示部に出力すべき撮像画像を決定する決定ステップと、を含むことを特徴とする。
【００１０】
この発明に係るプログラムは、コンピュータを、撮像部によって画像を撮影する撮像機能、計時機能、外部の通信機器との間で通信する通信機能、前記撮像機能によって撮影された撮像画像と前記計時機能で計時された撮影時の計時情報とを対応付けて記憶部に記憶する撮像画像記憶機能、前記外部の通信機器との接続が切断されたときの、前記計時機能で計時された計時情報を前記記憶部に記憶する接続ログ記憶機能、前記外部の通信機器との間で新たに通信が再開された場合に、前記撮像画像に対応付けて記憶されている撮影時の計時情報と前記外部の通信機器との前回の接続が切断されたときの計時情報とを比較し、前記外部の通信機器に送信すべき撮像画像を決定する決定機能、として機能させることを特徴とする特徴とする。
【００１１】
この発明に係るプログラムは、コンピュータを、計時機能、外部の撮像装置との間で通信する通信機能、前記外部の撮像装置の接続が切断されたときの、前記計時機能で計時された計時情報を記憶部に記憶する接続ログ記憶機能、前記通信機能によって前記外部の撮像装置との間で新たに通信が再開された場合に、前記外部の撮像装置によって撮像された撮像画像の識別情報と当該撮像画像の撮影時の計時情報とが対応付けられた管理情報を受信する受信機能、前記受信機能によって受信された前記管理情報から取得される、前記撮像画像に対応付けられている撮影時の計時情報と前記接続ログ記憶手段に記憶されている前回の接続が切断されたときの計時情報とを比較し、表示部に出力すべき撮像画像を決定する決定機能、として機能させることを特徴とする。
【発明の効果】
【００１２】
この発明によれば、通信が切断されていた間に撮影された画像を容易に確認することができる。
【図面の簡単な説明】
【００１３】
【図１】本発明の第１実施形態によるデジタルカメラ１の構成を示すブロック図である。
【図２】本第１実施形態によるデジタルカメラ１の動作を説明するためのフローチャートである。
【図３】本第１実施形態において、外部の通信機器における表示例を示す模式図である。
【図４】本第１実施形態において、外部の通信機器における表示例を示す模式図である。
【図５】本第１実施形態において、外部の通信機器における表示例を示す模式図である。
【図６】本第２実施形態によるデジタルカメラ１の動作を説明するためのフローチャートである。
【図７】本第２実施形態において、外部の通信機器における表示例を示す模式図である。
【図８】本発明の第３実施形態による通信機器６０の構成を示すブロック図である。
【図９】本第３実施形態による通信機器６０の動作を説明するためのフローチャートである。
【発明を実施するための形態】
【００１４】
以下、本発明の実施の形態を、図面を参照して説明する。
【００１５】
Ａ．第１実施形態
Ａ−１．第１実施形態の構成
図１は、本発明の第１実施形態によるデジタルカメラ１の構成を示すブロック図である。図において、本第１実施形態のデジタルカメラ１は、表示部を備えていないデジタルカメラである。デジタルカメラ１は、撮像部１０、画像処理部１１、キー入力部１２、無線通信部１３、プログラムメモリ１４、メモリ１５、画像メモリ１６、計時部１７、及び制御部１８を備えている。
【００１６】
撮像部１０は、光学レンズ群からなるレンズブロックと、ＣＣＤや、ＣＭＯＳなどの撮像素子からなり、レンズブロックから入った画像を撮像素子によりデジタル信号に変換して出力する。画像処理部１１は、撮影された画像データの画像処理（画素補間処理、γ補正、輝度色差信号の生成、ホワイトバランス処理、露出補正処理、重畳合成処理やフィルタ処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。
【００１７】
キー入力部１２は、シャッタキー、ズームキー、モードキー、ムービー記録開始／終了キー、電源オンオフキー等の複数の操作キーを含み、ユーザのキー操作に応じた操作信号を出力する。無線通信部１３は、例えば、Ｂｌｕｅｔｏｏｔｈ（登録商標）を用いて、外部の通信機器（表示部を備える電子機器、例えば、スマートフォンや、タブレット端末など）との間で画像データなどを送受信する。なお、Ｂｌｕｅｔｏｏｔｈ（登録商標）による無線通信部１３以外にも、無線ＬＡＮ（Local Area Network）や、ＮＦＣ（Near Field Communication：近接無線通信）、携帯電話の移動体通信網を用いる通信手段を備えていてもよい。
【００１８】
プログラムメモリ１４は、後述する制御部１８により実行されるプログラムや動作等に必要とされる各種パラメータなどを記憶している。メモリ１５は、前回接続ログメモリ１５１と画像ファイル管理メモリ１５２とを備えている。前回接続ログメモリ１５１は、外部の通信機器との前回の接続日時を記憶する。前回の接続日時とは、外部の通信機器との間で通信が開始されたときの日時と、その通信が切断されたときの日時を意味する。本発明では、少なくとも、外部の通信機器と通信が切断されたときの日時、すなわち前回の通信が切断されたときの日時を用いる。
【００１９】
画像ファイル管理メモリ１５２は、撮像部１０によって撮影された画像データと、後述する計時部１７により計時される現在時刻（撮影日時）とを対応付けて記憶する。画像メモリ１６は、画像処理部１１によって撮影された画像から縮小画像を作成する場合のワーキングエリアとして用いられる。計時部１７は、現在日時を計時する。この計時部１７による現在日時は、外部の通信機器との接続日時や、撮影した撮像画像の撮影日時を管理する際に用いられる。
【００２０】
制御部１８は、上述したプログラムメモリ１４に記憶されているプログラムを実行することで各部の動作を制御する。特に、本第１実施形態では、制御部１８は、外部の通信機器と接続された時点、または外部の通信機器から切断された時点で、計時部１７から現在日時を読み込み、接続日時情報として前回接続ログメモリ１５１に記憶する。また、制御部１８は、画像を撮影した場合に、計時部１７による現在日時を撮影日時として、撮像画像に対応付けて画像ファイル管理メモリ１５２に記憶する。
【００２１】
また、制御部１８は、外部の通信機器との距離（電波到達範囲）に応じて、無線通信部１３を用いて、外部の通信機器との間での通信を確立したり、通信を切断したりする処理を行う。また、制御部１８は、外部の通信機器との間で通信が確立すると、外部の通信機器で起動したカメラ操作専用アプリケーションからの指示に従って、画像データのリストを送信するとともに、画像データを転送するよう制御する。
【００２２】
Ａ−２．第１実施形態の動作
次に、上述した第１実施形態の動作について説明する。
図２は、本第１実施形態によるデジタルカメラ１の動作を説明するためのフローチャートである。また、図３乃至図５は、本第１実施形態において、外部の通信機器における表示例を示す模式図である。図２に示すフローチャートは、電源オンで、外部の通信機器からの接続要求待ち状態で、且つ、外部の通信機器から接続要求が来た場合に、制御部１８によって実行される。
【００２３】
制御部１８は、まず、外部の通信機器から要求されたモードが、再生モードであるか、撮影モードであるかを判断する（ステップＳ１０）。そして、撮影モードが要求された場合には（ステップＳ１０の撮影モード）、制御部１８は、今回が初めての外部の通信機器との接続であるか否かを判断する（ステップＳ１２）。ここで、今回が初めての外部の通信機器との接続である場合には（ステップＳ１２のＹＥＳ）、制御部１８は、画像ファイル管理メモリ１５２に格納されている画像ファイルをチェックし（ステップＳ１４）、画像ファイルがあるか否かを判断する（ステップＳ１６）。そして、画像ファイルがない場合には（ステップＳ１６のＮＯ）、制御部１８は、無線通信部１３を介して、撮像部１０で撮像されているライブビューのみを外部の通信機器に送信する（ステップＳ１８）。その後、当該処理を終了する。一方、画像ファイルがある場合には（ステップＳ１６のＹＥＳ）、制御部１８は、画像処理部１１により、既に記録されている画像ファイルの縮小画像を作成し（ステップＳ２０）、無線通信部１３を介して、作成した縮小画像を、撮像部１０で撮像されているライブビューと共に外部の通信機器に送信する（ステップＳ２２）。その後、当該処理を終了する。この処理により、過去に当該デジタルカメラ１と一度も接続したことがない外部の通信機器であっても、既にどのような画像を撮像していたのかを事前に知ることができる。
【００２４】
上記ステップＳ１８の処理では、外部の通信機器では、例えば、図３に示すように、ライブビュー２０のみが表示される。なお、ライブビュー２０の下部には、デジタルカメラ１をリモート操作するための各種アイコン群２１が表示される。ユーザは、アイコン群２１の中から目的のアイコンをタップすることで、デジタルカメラ１に撮影させたり、各種撮影パラメータを変更（設定）したり、動作モード（静止画撮影モードや、動画撮影モードなど）を変更したりすることが可能となっている。
【００２５】
今回が初めての外部の通信機器との接続でない場合には（ステップＳ１２のＮＯ）、制御部１８は、メモリ１５の前回接続ログメモリ１５１を参照し、前回の接続日時をチェックする（ステップＳ２４）。次に、制御部１８は、画像ファイル管理メモリ１５２に格納されている画像ファイルをチェックし（ステップＳ２６）、画像ファイルがあるか否かを判断する（ステップＳ２８）。そして、画像ファイルがない場合には（ステップＳ２８のＮＯ）、制御部１８は、無線通信部１３を介して、撮像部１０で撮像されているライブビューのみを外部の通信機器に送信する（ステップＳ１８）。その後、当該処理を終了する。
【００２６】
一方、画像ファイルがある場合には（ステップＳ２８のＹＥＳ）、制御部１８は、前回の接続日時（切断日時）と各画像ファイルの撮影日時とを比較し（ステップＳ３０）、前回の接続日時（切断日時）以降に撮影された画像ファイルがあるか否かを判断する（ステップＳ３２）。そして、前回の接続日時（切断日時）以降に撮影された画像ファイルがない場合には（ステップＳ３２のＮＯ）、制御部１８は、無線通信部１３を介して、撮像部１０で撮像されているライブビューのみを外部の通信機器に送信する（ステップＳ１８）。その後、当該処理を終了する。
【００２７】
一方、前回の接続日時（切断日時）以降に撮影された画像ファイルがある場合には（ステップＳ３２のＹＥＳ）、制御部１８は、画像処理部１１により、前回の接続日時（切断日時）以降に撮影された画像ファイルの縮小画像を作成し（ステップＳ３４）、無線通信部１３を介して、作成した縮小画像を、撮像部１０で撮像されているライブビューと共に外部の通信機器に送信する（ステップＳ３６）。その後、当該処理を終了する。
【００２８】
外部の通信機器では、例えば、図４に示すように、ライブビュー２０とともに、前回接続日時以降に撮影された画像の縮小画像３０が表示される。
【００２９】
一方、再生モードが要求された場合には（ステップＳ１０の再生モード）、制御部１８は、画像処理部１１により、画像ファイル管理メモリ１５２に保存されている画像ファイルの縮小画像を作成し（ステップＳ３８）、作成した縮小画像を一斉に外部の通信機器に送信する（ステップＳ４０）。その後、当該処理を終了する。
【００３０】
外部の通信機器では、例えば、図５に示すように、画像ファイル管理メモリ１５２に保存されている画像ファイルの縮小画像３０ａが表示される。
【００３１】
上述した第１実施形態によれば、外部の通信機器に接続されると、撮影された画像の撮影日時と前回の接続日時（切断日時）とを比較し、前回の接続日時（切断日時）以降に撮影された画像ファイルを選択し、当該画像ファイルの縮小画像を作成して外部の通信機器に送信するようにしたので、外部の通信機器との通信が切断されている間に新たに撮影された画像を容易に確認することができる。
【００３２】
Ｂ．第２実施形態
次に、本発明の第２実施形態について説明する。
なお、デジタルカメラ１の構成は、図１と同様であるので説明を省略する。
図６は、本第２実施形態によるデジタルカメラ１の動作を説明するためのフローチャートである。なお、本第２実施形態において、ステップＳ１０〜Ｓ１６（ＮＯ）〜Ｓ１８、ステップＳ１０〜Ｓ１２（ＮＯ）〜Ｓ３０、ステップＳ３４〜Ｓ４０は、図２と同様であるので説明を省略する。また、図７は、本第２実施形態において、外部の通信機器における表示例を示す模式図である。
【００３３】
制御部１８は、前回の接続日時（切断日時）と各画像ファイルの撮影日時とを比較し（ステップＳ３０）、前回の接続日時（切断日時）以降に撮影された画像ファイルがある場合には（ステップＳ３２のＹＥＳ）、前回接続日時（切断日時）以降に撮影された画像ファイルについて画像解析を行う（ステップＳ５０）。
【００３４】
画像解析としては、直線検出、または、撮影ファイルのｅｘｉｆデータに記録された撮影角度情報により、所定角度（例えば、１０°）以上傾いていると判断された画像であるか、あるいは、エッジ検出、コントラスト検出により、検出された結果が所定レベル以下と判断された画像であるか、あるいは、ｅｘｉｆデータに記録されたＩＳＯ感度情報より所定感度以上と判断された画像であるかを解析する。
【００３５】
次に、制御部１８は、所定の品質以下の画像があるか否かを判断する（ステップＳ５２）。なお、ここで所定の品質以下とは、上記画像解析の結果、該当する画像であることを意味する。すなわち、所定角度（例えば、１０°）以上傾いている画像や、エッジや、コントラストなどが所定レベル以下である画像、あるいはＩＳＯ感度情報より所定感度以上である画像がこれに相当する。
【００３６】
そして、所定の品質以下の画像があった場合には（ステップＳ５２のＹＥＳ）、制御部１８は、画像処理部１１により、前回接続日時以降に撮影された画像ファイルの特別な縮小画像の生成する（ステップＳ５４）。
【００３７】
特別な縮小画像とは、所定の品質以下の画像を外部の通信機器で視認しやすくするための縮小画像を意味する。例えば、前述した第１実施形態におけるステップＳ３４またはステップＳ３８で作成した通常の縮小画像に比べて若干サイズが大きい縮小画像としたり、通常サイズの縮小画像と品質が劣ることが確認可能な領域をトリミングした縮小画像とを作成し、部分合成した縮小画像としたり、あるいは、周囲に劣っている内容が分かる色の枠を付けた（赤＝斜め、黄＝不鮮明、オレンジ＝ノイズ過多など）縮小画像とする。
【００３８】
その後、制御部１８は、前述した第１実施形態のステップＳ３０（図２）に進み、無線通信部１３を介して、作成した特別な縮小画像を、撮像部１０で撮像されているライブビューと共に外部の通信機器に送信する（ステップＳ３６）。その後、当該処理を終了する。
【００３９】
外部の通信機器では、例えば、図７に示すように、ライブビュー２０とともに、前回接続日時以降に撮影された画像の縮小画像３０ｂが表示される。また、所定の品質以下の画像４０、４１については、通常の縮小画像３０ｂに比べて若干サイズが大きい縮小画像として、所定の色の枠５０が付けられて表示される（赤＝斜め、黄＝不鮮明、オレンジ＝ノイズ過多など）。
【００４０】
一方、所定の品質以下の画像がない場合には（ステップＳ５２のＮＯ）、制御部１８は、画像処理部１１により、前回接続日時（切断日時）以降に撮影された画像ファイルの縮小画像の生成する（ステップＳ５６）。この場合の縮小画像は、前述した第１実施形態におけるステップＳ３４またはステップＳ３８で作成した通常の縮小画像と同じである。
【００４１】
その後、制御部１８は、前述した第１実施形態のステップＳ３６（図２）に進み、無線通信部１３を介して、作成した縮小画像を、撮像部１０で撮像されているライブビューと共に外部の通信機器に送信する（ステップＳ３６）。その後、当該処理を終了する。
【００４２】
上述した第２実施形態によれば、外部の通信機器との通信が切断されている間に撮影された画像を画像解析し、所定の品質以下の画像が存在する場合に、該所定の品質以下の画像に対して、それ以外の画像の縮小画像とは異なる形態（サイズ、色枠）を有する縮小画像に加工して外部の通信機器に送信するようにしたので、外部の通信機器との通信が切断されている間に撮影された画像の中に、所定の品質以下の画像があることを容易に確認することができる。尚、図６のフローチャートは、ステップＳ１６のＹＥＳ〜Ｓ２０の処理の間において実行してもよい。この場合、ステップＳ５０においては、全ての画像ファイルについて画像解析されるものとする。
【００４３】
Ｃ．第３実施形態
次に、本発明の第３実施形態について説明する。
Ｃ−１．第３実施形態の構成
図８は、本発明の第３実施形態による通信機器６０の構成を示すブロック図である。図において、本第３実施形態の通信機器６０は、表示部を備えている、スマートフォンや、タブレット端末などからなる。通信機器６０は、Ｂｌｕｅｔｏｏｔｈ（登録商標）による通信手段を用いてデジタルカメラ１との通信を確立すると、カメラ操作専用アプリケーション（プログラム）によって、デジタルカメラ１に対する撮影指示操作、ライブビューの表示、撮影された画像データの一覧表示などを行う。
【００４４】
通信機器６０は、無線通信部（無線ＬＡＮ）６１、無線通信部（近距離無線）６２、表示部６３、操作部（タッチパネル）６４、プログラムメモリ６５、メモリ６６、記録媒体６７、計時部６８、及び制御部６９を備えている。無線通信部（無線ＬＡＮ）６１は、無線ＬＡＮを用いて、中継局を介してインターネットなどに接続する。無線通信部（近距離無線）６２は、例えば、Ｂｌｕｅｔｏｏｔｈ（登録商標）などを用いてデジタルカメラ１と通信を行う。
【００４５】
表示部６３は、液晶表示器や有機ＥＬ（Ｅｌｅｃｔｒｏ  Ｌｕｍｉｎｅｓｃｅｎｃｅ）表示器などからなり、特定の機能やアプリケーションなどに紐付けられているアイコンや、アプリケーション画面、各種のメニュー画面、撮像時におけるライブビュー画面、撮影された画像データなどを表示する。操作部（タッチパネル）６４は、指やスタイラス（ペン）などの直接接触、あるいは、近接を検出する。なお、操作部（タッチパネル）６４には、電源ボタンや音量ボタンなどの機械的なスイッチ類が含まれてもよい。
【００４６】
プログラムメモリ６５は、後述する制御部６９により実行されるプログラムや動作等に必要とされる各種パラメータなどを記憶している。メモリ６６は、後述する制御部６９がプログラムを実行した際の一時的なデータや、各種アプリケーションプログラム、アプリケーションの実行に必要な各種パラメータなどのデータを記憶する。特に、本第３実施形態では、メモリ６６は、前回接続ログメモリ６６１を備えており、デジタルカメラ１との前回の接続日時（切断日時）を記憶する。計時部６８は、現在日時を計時する。この計時部６８による計時結果は、デジタルカメラ１との前回の接続日時を管理する際に用いられる。
【００４７】
制御部６９は、上述したプログラムメモリ６５に記憶されているプログラムを実行することで各部の動作を制御する。特に、本第３実施形態では、制御部６９は、デジタルカメラ１と接続された時点、またはデジタルカメラ１から切断された時点で、計時部６８から現在日時を読み込み、接続日時情報として前回接続ログメモリ６６１に記憶する。また、制御部６９は、カメラ操作専用アプリケーションが起動されている状態で、無線通信部６２によってデジタルカメラ１との接続が確立されると、デジタルカメラ１に保存されている撮影された画像データを転送させるよう制御する。
【００４８】
また、制御部６９は、デジタルカメラ１から転送されてくる撮像時におけるライブビュー画面を表示部６３に表示させたり、デジタルカメラ１から転送されてくる画像データを受信し、これら画像データの縮小画像を作成し、該縮小画像を表示部６３に一覧表示させたりするよう制御する。特に、本第３実施形態では、制御部６９は、前回の接続日時（切断日時）以降にデジタルカメラ１で撮影された画像ファイルであることを容易に視認することができるように表示制御する。
【００４９】
Ｃ−２．第３実施形態の動作
図９は、本第３実施形態による通信機器６０の動作を説明するためのフローチャートである。図９に示すフローチャートは、電源オンで、デジタルカメラ１からの接続要求待ち状態で、且つ、デジタルカメラ１から接続要求が来た場合に、制御部６９によって実行される。
【００５０】
制御部６９は、まず、今回が初めてのデジタルカメラ１との接続であるか否かを判断する（ステップＳ６０）。そして、今回が初めてのデジタルカメラ１との接続である場合には（ステップＳ６０のＹＥＳ）、制御部６９は、無線通信部６２を介して、デジタルカメラ１にライブビューの転送を要求する（ステップＳ６２）。次に、制御部６９は、デジタルカメラ１で撮像されているライブビューのみを表示部６３で表示する（ステップＳ６４）。その後、当該処理を終了し、図示しない処理へ進む。尚、初めての接続の際に、既にデジタルカメラ１に記録済み画像ファイルの転送を要求しても良い。この場合、表示部６３にはライブビューと記録済み画像ファイルの縮小画像が表示される。この処理により、過去にデジタルカメラ１と一度も接続したことがない場合でも、既にどのような画像を撮像していたのかを事前に知ることができる。
【００５１】
一方、今回が初めてのデジタルカメラ１との接続でない場合には（ステップＳ６０のＮＯ）、制御部６９は、メモリ６６の前回接続ログメモリ６６１を参照し、前回の接続日時をチェックする（ステップＳ６６）。次に、制御部６９は、デジタルカメラ１から転送されてくる管理情報を受信する（ステップＳ６８）。該管理情報は、デジタルカメラ１において、撮影した画像ファイルを管理するための情報であり、少なくとも、画像ファイル名と撮影した撮影日時とを含む。
【００５２】
制御部６９は、受信した管理情報から得られる画像ファイルの撮影日時と前回の接続日時（切断日時）とを比較し（ステップＳ７０）、前回の接続日時（切断日時）以降に撮影された画像ファイルがあるか否かを判断する（ステップＳ７２）。
【００５３】
そして、前回の接続日時（切断日時）以降に撮影された画像ファイルがある場合には（ステップＳ７２のＹＥＳ）、制御部６９は、該当画像ファイルの転送をデジタルカメラ１に要求する（ステップＳ７４）。デジタルカメラ１は、上記画像ファイルの転送要求を受信すると、要求された画像ファイル名の画像ファイルを、当該通信機器６０に送信する。転送要求する画像ファイルは、１つでも複数でもよい。通信機器６０の制御部６９は、デジタルカメラ１から送信される全ての画像ファイルを受信する（ステップＳ７６）。受信した画像ファイルは、記録媒体６７に保存する。次に、制御部６９は、前回の接続日時（切断日時）以降に撮影された、受信した全ての画像ファイルの縮小画像を作成する（ステップＳ７８）。
【００５４】
次に、制御部６９は、ユーザにより要求されているモードが、再生モードであるか、撮影モードであるかを判断する（ステップＳ８０）。そして、撮影モードが要求されている場合には（ステップＳ８０の撮影モード）、制御部６９は、デジタルカメラ１にライブビューの転送を要求し（ステップＳ８２）、上述した作成した縮小画像を、デジタルカメラ１で撮像されているライブビューと共に表示部６３に表示する（ステップＳ８４）。その後、当該処理を終了し、図示しない処理へ進む。
【００５５】
一方、再生モードが要求されている場合には（ステップＳ８０の再生モード）、制御部６９は、上述した作成した縮小画像、すなわち、前回の接続日時（切断日時）以降に撮影された全ての画像ファイルの縮小画像を表示部６３に一覧表示する（ステップＳ８６）。なお、通信機器６０に、過去に受信した画像ファイルの縮小画像が保存してある場合には、その縮小画像も表示するようにしてもよい。その後、当該処理を終了し、図示しない処理へ進む。
【００５６】
上述した第３実施形態によれば、デジタルカメラ１に接続されると、撮影された画像の撮影日時と前回の接続日時（切断日時）とを比較し、前回の接続日時（切断日時）以降に撮影された画像ファイルの縮小画像を選択的に作成して表示するようにしたので、デジタルカメラ１との通信が切断されている間に新たに撮影された画像を容易に確認することができる。
【００５７】
なお、上述した第１乃至第３実施形態では、静止画についてのみ説明したが、静止画に限らず、動画であってもよい。
【００５８】
また、上述した第３実施形態においても、第２実施形態と同様に、外部の撮像装置との通信が切断されている間に撮像装置で撮影された画像を画像解析し、所定の品質以下の画像である場合に、該所定の品質以下の画像に対して、それ以外の画像の縮小画像とは異なる形態（サイズ、色枠）を有する縮小画像に加工して表示するようにしてもよい。
【００５９】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００６０】
（付記１）
付記１に記載の発明は、画像を撮影する撮像手段と、計時手段と、外部の通信機器との間で通信する通信手段と、前記撮像手段によって撮影された撮像画像と前記計時手段によって計時された撮影時の計時情報とを対応付けて記憶する撮像画像記憶手段と、前記通信手段によって前記外部の通信機器との接続が切断されたときの、前記計時手段によって計時された計時情報を記憶する接続ログ記憶手段と、前記通信手段によって前記外部の通信機器との間で新たに通信が再開された場合に、前記撮像画像記憶手段に記憶されている撮像画像に対応付けて記憶されている撮影時の計時情報と前記接続ログ記憶手段に記憶されている前回の接続が切断されたときの計時情報とを比較し、前記外部の通信機器に送信すべき撮像画像を決定する決定手段と、を備えたことを特徴とする撮像装置である。
【００６１】
（付記２）
付記２に記載の発明は、前記撮像画像記憶手段によって記憶されている撮像画像の撮像時の状況に関する情報を取得する情報取得手段と、この情報取得手段によって取得された情報に基づいて、前記決定手段によって前記外部の通信機器に送信すべきと決定された撮像画像を加工する加工手段と、を更に備え、前記通信手段は、前記加工手段によって加工された撮像画像を前記外部の通信機器に送信する、ことを特徴とする付記１に記載の撮像装置である。
【００６２】
（付記３）
付記３に記載の発明は、前記通信手段は、前記決定手段によって前記外部の通信機器に送信すべきものとして決定された撮像画像と前記撮像手段によって逐次撮像されている画像とを前記外部の通信機器に送信する、ことを特徴とする付記１又は２に記載の撮像装置である。
【００６３】
（付記４）
付記４に記載の発明は、前記通信手段は、無線通信手段を含む、ことを特徴とする付記１乃至３のいずれか一つに記載の撮像装置である。
【００６４】
（付記５）
付記５に記載の発明は、前記通信手段を介した接続要求を検出する検出手段を更に備え、前記決定手段は、前記検出手段によって接続要求を検出すると、前記撮像画像記憶手段に記憶されている撮像画像に対応付けて記憶されている撮影時の計時情報と前記接続ログ記憶手段に記憶されている前回の接続が切断されたときの計時情報とを比較し、前記外部の通信機器に送信すべき撮像画像を決定する、ことを特徴とする付記１乃至４のいずれか一つに記載の撮像装置である。
【００６５】
（付記６）
付記６に記載の発明は、表示手段と、計時手段と、外部の撮像装置との間で通信する通信手段と、前記通信手段によって前記外部の撮像装置との接続が切断されたときの、前記計時手段によって計時された計時情報を記憶する接続ログ記憶手段と、前記通信手段によって前記外部の撮像装置との間で新たに通信が再開された場合に、前記外部の撮像装置によって撮像された撮像画像の識別情報と当該撮像画像の撮影時の計時情報とが対応付けられた管理情報を前記通信手段によって受信し、当該受信された前記管理情報から取得される、前記撮像画像に対応付けられている撮影時の計時情報と前記接続ログ記憶手段に記憶されている前回の接続が切断されたときの計時情報とを比較し、前記表示手段に出力すべき撮像画像を決定する決定手段と、を備えたことを特徴とする画像出力装置である。
【００６６】
（付記７）
付記７に記載の発明は、前記決定手段によって前記表示手段に出力すべきと決定された撮像画像を加工する加工手段を更に備え、前記表示手段は、前記加工手段によって加工された撮像画像を表示する、ことを特徴とする付記６に記載の画像出力装置である。
【００６７】
（付記８）
付記８に記載の発明は、撮像部によって撮影された撮像画像と計時部で計時された撮影時の計時情報とを対応付けて記憶部に記憶する撮像画像記憶ステップと、外部の通信機器との接続が切断されたときの、前記計時部で計時された計時情報を前記記憶部に記憶する接続ログ記憶ステップと、前記外部の通信機器との間で新たに通信が再開された場合に、前記撮像画像に対応付けて記憶されている撮影時の計時情報と前記外部の通信機器との前回の接続が切断されたときの計時情報とを比較し、前記外部の通信機器に送信すべき撮像画像を決定する決定ステップと、を含むことを特徴とする転送画像決定方法である。
【００６８】
（付記９）
付記９に記載の発明は、外部の撮像装置との接続が切断されたときの、計時部で計時された計時情報を記憶部に記憶する接続ログ記憶ステップと、前記外部の撮像装置との間で新たに通信が再開された場合に、前記外部の撮像装置によって撮像された撮像画像の識別情報と当該撮像画像の撮影時の計時情報とが対応付けられた管理情報を前記通信手段によって受信する受信ステップと、前記受信ステップで受信された前記管理情報から取得される、前記撮像画像に対応付けられている撮影時の計時情報と前記記憶部に記憶された前記外部の撮像装置との接続が切断されたときの計時情報とを比較し、表示部に出力すべき撮像画像を決定する決定ステップと、を含むことを特徴とする出力画像決定方法である。
【００６９】
（付記１０）
付記１０に記載の発明は、コンピュータを、撮像部によって画像を撮影する撮像機能、計時機能、外部の通信機器との間で通信する通信機能、前記撮像機能によって撮影された撮像画像と前記計時機能で計時された撮影時の計時情報とを対応付けて記憶部に記憶する撮像画像記憶機能、前記外部の通信機器との接続が切断されたときの、前記計時機能で計時された計時情報を前記記憶部に記憶する接続ログ記憶機能、前記外部の通信機器との間で新たに通信が再開された場合に、前記撮像画像に対応付けて記憶されている撮影時の計時情報と前記外部の通信機器との前回の接続が切断されたときの計時情報とを比較し、前記外部の通信機器に送信すべき撮像画像を決定する決定機能、として機能させることを特徴とするプログラムである。
【００７０】
（付記１１）
付記１１に記載の発明は、コンピュータを、計時機能、外部の撮像装置との間で通信する通信機能、前記外部の撮像装置の接続が切断されたときの、前記計時機能で計時された計時情報を記憶部に記憶する接続ログ記憶機能、前記通信機能によって前記外部の撮像装置との間で新たに通信が再開された場合に、前記外部の撮像装置によって撮像された撮像画像の識別情報と当該撮像画像の撮影時の計時情報とが対応付けられた管理情報を受信する受信機能、前記受信機能によって受信された前記管理情報から取得される、前記撮像画像に対応付けられている撮影時の計時情報と前記接続ログ記憶手段に記憶されている前回の接続が切断されたときの計時情報とを比較し、表示部に出力すべき撮像画像を決定する決定機能、として機能させることを特徴とするプログラムである。
【符号の説明】
【００７１】
１  デジタルカメラ
１０  撮像部
１１  画像処理部
１２  キー入力部
１３  無線通信部
１４  プログラムメモリ
１５  メモリ
１５１  前回接続ログメモリ
１５２  画像ファイル管理メモリ
１６  画像メモリ
１７、６８  計時部
１８、６９  制御部
２０  ライブビュー
２１  アイコン群
３０、３０ａ、３０ｂ  縮小画像
４０、４１  所定の品質以下の画像
５０  枠
６０  通信機器
６１  無線通信部（無線ＬＡＮ）
６２  無線通信部
６３  表示部
６４  操作部（タッチパネル）
６５  プログラムメモリ
６６  メモリ
６６１  前回接続ログメモリ
６７  記録媒体
【図１】
2016165048.tif 000003
【図２】
2016165048.tif 000004
【図３】
2016165048.tif 000005
【図４】
2016165048.tif 000006
【図５】
2016165048.tif 000007
【図６】
2016165048.tif 000008
【図７】
2016165048.tif 000009
【図８】
2016165048.tif 000010
【図９】
2016165048.tif 000011